(57)【要約】【課題】複数のページから構成される画像に係る画像データの中に、定型画像のみである白紙相当のページが含まれていることをユーザに報知すること。【解決手段】画像解析装置は、複数のページから構成される画像に係る画像データを記憶するための記憶手段を備える。そして、記憶手段に記憶された画像データが、複数のページそれぞれに定型として付加される定型画像に係る定型情報を含む画像データであるか否かを判断する（Ａ２）。画像データが定型情報を含む画像データであると判断した場合（Ａ２：ＹＥＳ）に、画像データの中に定型画像のみである白紙相当のページが含まれるか否かを判断する（Ａ３）。そして、画像データの中に白紙相当のページが含まれると判断した場合に（Ａ３：ＹＥＳ）、画像データの中に白紙相当のページが含まれることをユーザに報知するための信号を外部に出力する（Ａ１１）。【選択図】図３
2014071735.tif 000002
【特許請求の範囲】
【請求項１】
複数のページから構成される画像に係る画像データを記憶するための記憶手段と、
前記記憶手段に記憶された前記画像データが、前記複数のページそれぞれに定型として付加される定型画像に係る定型情報を含む画像データであるか否かを判断する第１判断手段と、
前記第１判断手段が、前記記憶手段に記憶された前記画像データが前記定型情報を含む画像データであると判断した場合に、当該画像データの中に前記定型画像のみである白紙相当のページが含まれるか否かを判断する第２判断手段と、
前記第２判断手段が、前記画像データの中に前記白紙相当のページが含まれると判断した場合に、前記画像データの中に前記白紙相当のページが含まれることをユーザに報知するための信号を外部に出力する出力手段と
を備えていることを特徴とする画像解析装置。
【請求項２】
前記第２判断手段は、前記記憶手段に記憶された前記画像データの中に前記白紙相当のページが含まれると判断した場合、当該白紙相当のページが２ページ以上連続しているか否かの判断も行い、
前記出力手段は、前記第２判断手段が当該画像データにおいて前記白紙相当のページが２ページ以上連続していると判断した場合には、前記画像データにおいて前記白紙相当のページが２ページ以上連続していることをユーザに報知するための信号も外部に出力することを特徴とする請求項１に記載の画像解析装置。
【請求項３】
前記第２判断手段は、前記記憶手段に記憶された前記画像データの中に、同一の記録媒体に記録される複数のページの全てが前記白紙相当のページに該当するものがあるか否かの判断も行い、
前記出力手段は、前記同一の記録媒体に記録される複数のページの全てが前記白紙相当のページに該当するものがあると判断した場合には、前記画像データにおいて前記同一の記録媒体に記録される複数のページの全てが前記白紙相当のページに該当しているものがあることをユーザに報知するための信号も外部に出力することを特徴とする請求項１に記載の画像解析装置。
【請求項４】
前記記憶手段に記憶された前記画像データに基づいて、当該画像データを作成したアプリケーションの種類を特定するアプリケーション特定手段と、
前記アプリケーション特定手段が特定した前記アプリケーションの種類によって、前記出力手段による前記信号の出力を禁止するか否かを決定する決定手段と、
前記決定手段が前記出力手段による前記信号の出力を禁止すると決定した場合に、前記出力手段による前記信号の出力を禁止する第１禁止手段と
を更に備えていることを特徴とする請求項１〜３のいずれか一項に記載の画像解析装置。
【請求項５】
前記決定手段は、前記アプリケーション特定手段が特定した前記アプリケーションの種類が、文章データを作成するためのアプリケーションである場合には前記出力手段による前記信号の出力を禁止しないと決定し、プレゼンテーションデータを作成するためのアプリケーションである場合には前記出力手段による前記信号の出力を禁止すると決定することを特徴とする請求項４に記載の画像解析装置。
【請求項６】
前記記憶手段に記憶された前記画像データが所定数以上のページで構成されているか否かを判断するページ数判断手段と、
前記ページ数判断手段が、前記記憶手段に記憶された前記画像データが所定数未満のページで構成されていると判断した場合に、前記出力手段による前記信号の出力を禁止する第２禁止手段と
を更に備えていることを特徴とする請求項１〜５のいずれか一項に記載の画像解析装置。
【請求項７】
前記定型画像は、前記複数のページそれぞれの上部及び下部の少なくともいずれか一方に定型として付加される同様の画像又は前記複数のページに係るページ番号を示す画像であることを特徴とする請求項１〜６のいずれか一項に記載の画像解析装置。
【請求項８】
記録媒体に画像を記録する記録部で用いられる記録データを、前記記憶部に記憶された前記画像データに基づいて作成する記録データ作成手段と、
前記白紙相当のページの画像を記録媒体に記録するか否かの指示をユーザから受け付ける指示受付手段と
を更に備えており、
前記記録データ作成手段は、
前記出力手段が、前記信号を外部に出力した場合には、前記指示受付手段によってユーザから前記指示を受け付けた後に前記記録データを作成するものであり、
前記指示受付手段によって前記白紙相当のページに係る画像を記録媒体に記録する指示を受け付けた場合には、当該白紙相当のページに係る画像も記録媒体に記録されるように前記記録データを作成し、
前記指示受付手段によって前記白紙相当のページに係る画像を記録媒体に記録しない指示を受け付けた場合には、当該白紙相当のページに係る画像が記録媒体に記録されないように前記記録データを作成することを特徴とする請求項１〜７のいずれか一項に記載の画像解析装置。
【請求項９】
記録媒体に画像を記録する記録部で用いられる記録データを、前記記憶部に記憶された前記画像データに基づいて作成する記録データ作成手段と、
前記白紙相当のページに係る画像を記録媒体に記録するか否かの指示をユーザから受け付ける指示受付手段と
を更に備えており、
前記記録データ作成手段は、
前記画像データの１ページの画像を１つの記録媒体に記録させる記録データを作成するものであり、
前記第２判断手段は、前記出力手段が、前記信号を外部に出力した場合には、
前記白紙相当のページまでのページの画像を記録媒体に記録させるための前記記録データについては、前記指示受付手段によってユーザから前記指示を受け付ける前に作成を開始し、
前記白紙相当のページ以降のページの画像を記録媒体に記録させるための記録データについては、前記指示受付手段によってユーザから前記指示を受け付けた後に作成を開始し、且つ、前記指示受付手段によって前記白紙相当のページに係る画像を記録媒体に記録する指示を受け付けたときには、当該白紙相当のページに係る画像も記録媒体に記録されるように作成し、前記指示受付手段によって前記白紙相当のページに係る画像を記録媒体に記録しない指示を受け付けたときには、当該白紙相当のページに係る画像が記録媒体に記録されないように作成することを特徴とする請求項１〜７のいずれか一項に記載の画像解析装置。
【請求項１０】
請求項８又は９に記載の画像解析装置と、
前記記録部と
を備え
前記記録部は、前記記録データ作成手段により作成された前記記録データに基づいて、記録媒体に画像を記録することを特徴とする画像記録装置。
【請求項１１】
複数のページから構成される画像に係る画像データを記憶するための記憶手段と、
前記記憶手段に記憶された画像データの解析を行う制御部と、を備え、
前記制御部は、
前記記憶手段に記憶された前記画像データが、前記複数のページそれぞれに定型として付加される定型画像に係る定型情報を含む画像データであるか否かの第１判断を行い、
前記第１判断により、前記記憶手段に記憶された前記画像データが前記定型情報を含む画像データであると判断された場合に、当該画像データの中に前記定型画像のみである白紙相当のページが含まれるか否かを判断する第２判断を行い、
前記第２判断により、前記画像データの中に前記白紙相当のページが含まれると判断した場合に、前記画像データの中に前記白紙相当のページが含まれることをユーザに報知するための信号を外部に出力する、
ことを特徴とする画像解析装置。
【請求項１２】
複数のページから構成される画像に係る画像データを記憶するための記憶手段を備えた画像解析装置を、
前記記憶手段に記憶された前記画像データが、前記複数のページそれぞれに定型として付加される定型画像に係る定型情報を含む画像データであるか否かを判断する第１判断手段、
前記第１判断手段が、前記記憶手段に記憶された前記画像データが前記定型情報を含む画像データであると判断した場合に、当該画像データの中に前記定型画像のみである白紙相当のページが含まれるか否かを判断する第２判断手段、及び
前記第２判断手段が、前記画像データの中に前記白紙相当のページが含まれると判断した場合に、前記画像データの中に前記白紙相当のページが含まれることをユーザに報知するための信号を外部に出力する出力手段として機能させることを特徴とする画像解析装置の制御プログラム。
【請求項１３】
複数のページから構成される画像に係る画像データを記憶するための記憶手段を備えた画像解析装置の制御方法であって、
前記記憶手段に記憶された前記画像データが、前記複数のページそれぞれに定型として付加される定型画像に係る定型情報を含む画像データであるか否かを判断する第１判断処理と、
前記第１判断手段が、前記記憶手段に記憶された前記画像データが前記定型情報を含む画像データであると判断した場合に、当該画像データの中に前記定型画像のみである白紙相当のページが含まれるか否かを判断する第２判断処理と、
前記第２判断手段が、前記画像データの中に前記白紙相当のページが含まれると判断した場合に、前記画像データの中に前記白紙相当のページが含まれることをユーザに報知するための信号を外部に出力する出力処理と
を備えていることを特徴とする画像解析装置の制御方法。
【発明の詳細な説明】
【技術分野】
【０００１】
本発明は、画像解析装置、画像解析装置の制御プログラム、画像解析装置の制御方法、及び画像記録装置に関する。
【背景技術】
【０００２】
特許文献１には、印刷データを記録用紙に印刷する印刷手段を備えた画像形成装置が開示されている。この画像形成装置では、印刷データ中に白紙を構成するデータのみからなる頁があるか否かを判断している。そして、白紙を構成するデータのみからなる頁がある場合には、ユーザに当該頁の印刷を実行するか否かの指示の入力を促すメッセージをコンピュータの表示部に表示させている。
【先行技術文献】
【特許文献】
【０００３】
【特許文献１】特開２００５−２７６０４４号公報
【発明の概要】
【発明が解決しようとする課題】
【０００４】
ところで、頁の上部や下部にページ番号等の定型画像を付加させる場合、特許文献１に記載された画像形成装置では、定型画像以外の画像がない白紙相当の頁についても、白紙を構成するデータのみからなる頁ではないと判断して、ユーザにメッセージを表示させることなく当該定型画像のみが記録用紙に印刷される虞がある。そうすると、定型画像のみを記録用紙に印刷することをユーザが望んでいない場合、無駄な印刷が行われることになる。
【０００５】
そこで、本発明の目的は、画像データ中に、記録媒体に記録される画像が定型画像のみであるページが含まれていることをユーザに報知することが可能な画像解析装置、画像解析装置の制御プログラム、及び画像記録装置を提供することにある。
【課題を解決するための手段】
【０００６】
上記の課題を解決するために、本発明の画像解析装置は、複数のページから構成される画像に係る画像データを記憶するための記憶手段と、前記記憶手段に記憶された前記画像データが、前記複数のページそれぞれに定型として付加される定型画像に係る定型情報を含む画像データであるか否かを判断する第１判断手段と、前記第１判断手段が、前記記憶手段に記憶された前記画像データが前記定型情報を含む画像データであると判断した場合に、当該画像データの中に前記定型画像のみである白紙相当のページが含まれるか否かを判断する第２判断手段と、前記第２判断手段が、前記画像データの中に前記白紙相当のページが含まれると判断した場合に、前記画像データの中に前記白紙相当のページが含まれることをユーザに報知するための信号を外部に出力する出力手段とを備えていることを特徴とする。
【０００７】
また、本発明の画像解析装置の制御プログラムは、複数のページから構成される画像に係る画像データを記憶するための記憶手段を備えた画像解析装置を、前記記憶手段に記憶された前記画像データが、前記複数のページそれぞれに定型として付加される定型画像に係る定型情報を含む画像データであるか否かを判断する第１判断手段、前記第１判断手段が、前記記憶手段に記憶された前記画像データが前記定型情報を含む画像データであると判断した場合に、当該画像データの中に前記定型画像のみである白紙相当のページが含まれるか否かを判断する第２判断手段、及び前記第２判断手段が、前記画像データの中に前記白紙相当のページが含まれると判断した場合に、前記画像データの中に前記白紙相当のページが含まれることをユーザに報知するための信号を外部に出力する出力手段として機能させることを特徴とする。
【０００８】
また、本発明の画像解析装置の制御方法は、複数のページから構成される画像に係る画像データを記憶するための記憶手段を備えた画像解析装置の制御方法であって、前記記憶手段に記憶された前記画像データが、前記複数のページそれぞれに定型として付加される定型画像に係る定型情報を含む画像データであるか否かを判断する第１判断処理と、前記第１判断手段が、前記記憶手段に記憶された前記画像データが前記定型情報を含む画像データであると判断した場合に、当該画像データの中に前記定型画像のみである白紙相当のページが含まれるか否かを判断する第２判断処理と、前記第２判断手段が、前記画像データの中に前記白紙相当のページが含まれると判断した場合に、前記画像データの中に前記白紙相当のページが含まれることをユーザに報知するための信号を外部に出力する出力処理とを備えていることを特徴とする。
【発明の効果】
【０００９】
本発明によると、複数のページから構成される画像に係る画像データの中に、定型画像のみである白紙相当のページが含まれていることをユーザに報知することができる
【図面の簡単な説明】
【００１０】
【図１】第１実施形態に係る記録システムの構成を示すブロック図である。
【図２】図１に示す情報処理装置の機能ブロック図である。
【図３】図１に示す情報処理装置の動作フロー図である。
【図４】第２実施形態に係る情報処理装置の動作フロー図である。
【図５】第３実施形態に係る画像記録装置の機能ブロック図である。
【図６】第３実施形態に係る画像記録装置の動作フロー図である。
【発明を実施するための形態】
【００１１】
＜第１実施形態＞
以下、本発明の第１実施形態について、図面を参照しつつ説明する。
【００１２】
図１は、情報処理装置１と画像記録装置３とがデータ通信可能に構成された記録システム１０の構成を示すブロック図である。情報処理装置１は、画像記録装置３の制御が可能な汎用のパーソナルコンピュータであり、各種プログラムを実行するＣＰＵ（Central Processing Unit）１１、プログラム等を記憶するＲＯＭ（Read Only Memory）１２、ＣＰＵ１１によるプログラム実行時に作業領域として使用されるＲＡＭ（Random Access Memory）１３、不揮発性記憶部１４、画像データ記憶部１５、通信インターフェース１６、操作部１７、及び表示部１８を備えている。
【００１３】
不揮発性記憶部１４には、オペレーティングシステム（ＯＳ）１４１、文章データやプレゼンテーションデータを作成するためのアプリケーションプログラム１４２、情報処理装置１を画像解析装置として機能させるためのソフトウェア（プログラム）であるプリンタドライバ１４３等が記憶されている。画像データ記憶部１５には、ＣＰＵ１１がアプリケーションプログラム１４２を実行することで起動されるアプリケーション上で作成された画像データが記憶される。
【００１４】
通信インターフェース１６は、画像記録装置３等の外部装置との間でデータ通信を行うためのインターフェースである。操作部１７は、キーボードやポインティングデバイス（マウスやタッチパッド等）を含み、ユーザの操作指令を受け付け、操作指令に応じた電気信号をＣＰＵ１１に出力する。表示部１８は、液晶パネル等から構成されＣＰＵ１１から受信した制御信号に基づいて、種々の画像を表示する。なお、以下の説明においては、情報処理装置１の画像解析装置としての機能を中心に説明する。また、画像データ記憶部１５に記憶されている画像データは、複数のページから構成される画像に係る画像データであるものとして説明する。
【００１５】
画像記録装置３は、記録媒体（例えば、用紙）に画像を記録する画像記録装置であり、各種プログラムを実行するＣＰＵ３１、プログラム等を記憶するＲＯＭ３２、ＣＰＵ３１によるプログラム実行時に作業領域として使用されるＲＡＭ３３、不揮発性記憶部３４、通信インターフェース３５、画像データ記憶部３６、操作部３７、表示部３８、及び印刷実行部３９を備えている。不揮発性記憶部３４は、記憶データの書換えが可能な不揮発性の記憶装置であり、例えばフラッシュメモリが用いられる。通信インターフェース３５は、情報処理装置１などの外部装置との間でデータ通信を行うためのインターフェースである。画像データ記憶部３６には、通信インターフェース３５を介して情報処理装置１から受信した印刷データ（後述する）が記憶される。操作部３７は、各種操作ボタンを備えた入力装置であり、ユーザの操作指令に応じた電気信号をＣＰＵ３１に出力する。表示部３８は、小型の液晶ディスプレイ等から構成され、ＣＰＵ３１から受信した制御信号に基づいて、種々の画像を表示する。印刷実行部３９は、インクジェット方式、レーザ方式等の印刷機構を備え、ＣＰＵ３１からの指示に従って、画像データ記憶部３６に記憶された印刷データに係る画像を記録媒体に記録する。
【００１６】
次に、情報処理装置１のＣＰＵ１１について、詳細に説明する。ＣＰＵ１１（制御部の一例）は、ＯＳ１４１の制御の下、プリンタドライバ１４３を起動することで、図２に示すように、第１判断部１０１、第２判断部１０２、出力部１０３、アプリケーション特定部１０４、決定部１０５、第１禁止部１０６、ページ数判断部１０７、第２禁止部１０８、指示受付部１０９、記録データ作成部１１０、及び通信制御部１１１として機能する。なお、これらＣＰＵ１１の各機能部は、それぞれ回路によって構成される等、ハードウェアーで実現されるようにしてもよい。
【００１７】
第１判断部１０１は、画像データ記憶部１５に記憶された画像データが、定型画像に係る定型情報を含む画像データであるか否かを判断する。ここで、定型画像とは、複数のページそれぞれに定型として付加される画像であり、本実施形態では、ページの上部又は下部の少なくとも何れか一方に付加される同様の画像や複数のページに係るページ番号を示す画像である。また、「同様の画像」とは、コピー禁止、極秘、confidential等のスタンプや、日付等の複数のページそれぞれに定型として付加される画像である。なお、本実施形態において、定型情報は、画像データの各ページを構成する画像に付加される定型画像自体を指す。
【００１８】
第１判断部１０１は、画像データ記憶部１５に記憶された画像データの複数のページそれぞれに係る画像を互いにパターンマッチング等することにより、全てのページにおいて同一のページ領域（ページの上部や下部）に同様の画像が付加されているか否かを判断する。そして、第１判断部１０１は、同様の画像が付加されていると判断した場合には、当該同様の画像を定型画像とし、画像データ記憶部１５に記憶された画像データが、定型画像に係る定型情報を含む画像データであると判断する。
【００１９】
また、第１判断部１０１は、画像データ記憶部１５に記憶された画像データの複数のページそれぞれの画像において、パターン認識等をすることで、全てのページにおいて同一のページ領域（ページの上部や下部）に数字が付加されているか否かを判断する。そして、第１判断部１０１は、数字が付加されていると判断した場合には、その数字がページ番号に係る定型画像であるとし、画像データ記憶部１５に記憶された画像データが、定型画像に係る定型情報を含む画像データであると判断する。
【００２０】
第２判断部１０２は、画像データ記憶部１５に記憶された画像データの中に、定型画像のみである白紙相当のページが含まれるか否かを判断する。具体的には、第２判断部１０２は、まず、画像データ記憶部１５に記憶された画像データのページ毎に、１つのページを構成する画像から定型画像（第１判断部１０１により定型画像とされた画像）を除いた画像の白画素以外の画素数が所定の閾値未満であるか否かを判断する。そして、第２判断部１０２は、白画素以外の画素数が所定の閾値未満となるページがある場合には、そのページを白紙相当のページとし、画像データ記憶部１５に記憶された画像データの中に、定型画像のみである白紙相当のページが含まれると判断する。なお、この所定の閾値は、情報処理装置１に予め設定された固有の閾値であってもよいし、操作部１７を介してユーザにより設定された閾値であってもよい。
【００２１】
ところで、画像データにおいて、２ページ以上白紙相当のページが連続している場合、ユーザが希望しない形で当該画像データに白紙相当のページが含まれている可能性が高い。そこで、本実施形態においては、第２判断部１０２は、画像データ記憶部１５に記憶された画像データの中に、定型画像のみである白紙相当のページが含まれると判断した場合には、当該画像データにおいて白紙相当のページが２ページ以上連続しているか否かの判断も行う。
【００２２】
出力部１０３は、第２判断部１０２が、画像データ記憶部１５に記憶された画像データの中に白紙相当のページが含まれていると判断した場合に、当該画像データの中に白紙相当のページが含まれていることをユーザに報知する表示画像を表示させるための制御信号（以下、第１報知制御信号）を表示部１８に出力する。これにより、ユーザは表示部１８に表示された表示画像を視認することで、画像データ記憶部１５に記憶された画像データの中に、定型画像のみである白紙相当のページが含まれていることを把握することができる。なお、画像データ記憶部１５に記憶された画像データの中に白紙相当のページが複数ある場合には、出力部１０３は、第１報知制御信号として、白紙相当のページが複数あることをユーザに報知する表示画像についても表示させるための制御信号を出力する。
【００２３】
また、出力部１０３は、第２判断部１０２が白紙相当のページが２ページ以上連続していると判断した場合に、画像データ記憶部１５に記憶された画像データにおいて白紙相当のページが２ページ以上連続していることをユーザに報知する表示画像を表示させるための制御信号（以下、第２報知制御信号）も表示部１８に出力する。これにより、ユーザは表示部１８に表示された表示画像を視認することで、画像データ記憶部１５に記憶された画像データにおいて、２ページ以上白紙相当のページが連続していることを把握することができるので、ユーザは、白紙相当のページを意図して画像データに含めたか否かの判断を容易にすることができるようになる。なお、本実施形態においては、第２判断部１０２が白紙相当のページが２ページ以上連続していると判断した場合には、出力部１０３により少なくとも第１報知制御信号が表示部１８に対して必ず出力されるように構成されている。
【００２４】
また、出力部１０３は、第１報知制御信号を表示部１８に出力する際に、画像データ記憶部１５に記憶された画像データの中に含まれる白紙相当のページに係る画像を記録媒体に記録するか否かを選択させる選択画像を表示させるための選択信号も表示部１８に出力する。これにより、ユーザが白紙相当のページに係る画像を記録媒体に記録するか否かを選択することができる。
【００２５】
アプリケーション特定部１０４は、画像データ記憶部１５に記憶された画像データに基づいて、当該画像データを作成したアプリケーションの種類を特定する。具体的には、例えば、アプリケーション特定部１０４は、画像データのファイルフォーマットを参照することでアプリケーションの種類を特定する。
【００２６】
ところで、画像データ記憶部１５に記憶された画像データに白紙相当のページが含まれている場合において、当該白紙相当のページがユーザの意思に関係がある可能性度合いは、当該画像データを作成したアプリケーションの種類によって異なる。例えば、画像データが、文章データを作成するためのアプリケーションにより作成されていた場合には、白紙相当のページはユーザの意思に関係がある可能性は低いが、画像データが、プレゼンテーションデータを作成するためのアプリケーションにより作成されていた場合には、メモ用に白紙相当のページが画像データに含められている可能性があり、白紙相当のページがユーザの意思に関係がある可能性が高い。そこで、決定部１０５は、アプリケーション特定部１０４が特定したアプリケーションの種類によって、出力部１０３による表示部１８への上述の第１報知制御信号の出力を禁止するか否かを決定する。具体的には、例えば、決定部１０５はアプリケーション特定部１０４が特定したアプリケーションの種類が、文章データを作成するためのアプリケーションである場合には出力部１０３による第１報知制御信号の出力を禁止しないと決定し、プレゼンテーションデータを作成するためのアプリケーションである場合には出力部１０３による第１報知制御信号の出力を禁止すると決定する。決定部１０５による上記の決定は、不揮発性記憶部１４に記憶された管理テーブルに基づいて行われる。この管理テーブルはアプリケーションの種類各々と第１報知制御信号の出力の可否との関係を示すテーブルである。なお、管理テーブルは、情報処理装置１に予め記憶されている固有のテーブルであってもよいし、操作部１７を介してユーザにより設定されるテーブルであってもよい。
【００２７】
第１禁止部１０６は、決定部１０５が出力部１０３による第１報知制御信号の出力を禁止すると決定した場合に、出力部１０３による第１報知制御信号の出力を禁止する。これにより、画像データ記憶部１５に記憶された画像データが、白紙相当のページがユーザの意思に関係がある可能性が高いアプリケーションにより作成されている場合には、当該画像データの中に白紙相当のページが含まれることはユーザには報知されず、画像データが、白紙相当のページがユーザの意思に関係がある可能性が低いアプリケーションにより作成されている場合には、当該画像データの中に白紙相当のページが含まれることがユーザに報知されることになる。その結果、ユーザが希望する形で画像データの中に白紙相当のページを含めていた場合に、情報処理装置１（画像解析装置）により当該画像データの中に白紙相当のページが含まれることがユーザに報知される可能性を低減することができるので、ユーザの処理負担を軽減することができる。
【００２８】
ページ数判断部１０７は、画像データ記憶部１５に記憶された画像データが所定数以上のページで構成されているか否かを判断する。ここで、画像データ記憶部１５に記憶された画像データが所定数未満のページで構成されている場合、当該画像データの中に白紙相当のページが含まれているか否かはユーザが容易に確認することができる。従って、画像データが所定数未満のページで構成されている場合において、当該画像データの中に白紙相当のページが含まれている場合には、当該白紙相当のページはユーザの意思に関係がある可能性が高い。そこで、本実施形態においては、第２禁止部１０８は、ページ数判断部１０７が、画像データ記憶部１５に記憶された画像データが所定数未満のページで構成されていると判断した場合に、出力部１０３による上記第１報知制御信号の出力を禁止する。これにより、ユーザが希望する形で画像データの中に白紙相当のページを含めていた場合に、情報処理装置１により当該画像データの中に白紙相当のページが含まれることがユーザに報知される可能性を低減することができるので、ユーザの処理負担を軽減することができる。なお、この所定数は、情報処理装置１に予め設定された固有の値であってもよいし、操作部１７を介してユーザにより設定された値であってもよい。
【００２９】
指示受付部１０９は、操作部１７を介して、白紙相当のページに係る画像を記録媒体に記録するか否かの指示などの様々な指示をユーザから受け付ける。
【００３０】
記録データ作成部１１０は、画像データ記憶部１５に記憶された画像データに基づいて、画像記録装置３用の印刷データ（ＰＤＬ（page description language）などで記述されたデータ）を作成する。記録データ作成部１１０は、画像データ記憶部１５に記憶された画像データの１ページの画像を１つの記録媒体に記録させるための印刷データを作成する。本実施形態においては、画像記録装置３が本発明の記録部に相当し、印刷データが本発明の記録データに相当する。
【００３１】
また、記録データ作成部１１０は、出力部１０３が第１報知制御信号を表示部１８に出力した場合には、画像データ記憶部１５に記憶された画像データにおける白紙相当のページまでのページの画像を記録媒体に記録させるための印刷データについては、指示受付部１０９によってユーザから白紙相当のページに係る画像を記録媒体に記録するか否かの指示を受け付ける前に作成を開始する。これにより、白紙相当のページまでのページの画像に係る印刷データを早く作成することができる。これに対して、画像データにおける白紙相当のページ以降のページの画像を記録媒体に記録させるための印刷データについては、指示受付部１０９によってユーザから指示を受け付けた後に作成を開始し、且つ、指示受付部１０９によって、白紙相当のページに係る画像を記録媒体に記録する指示を受け付けた場合には、当該白紙相当のページに係る画像も記録媒体に記録されるように作成し、指示受付部１０９によって白紙相当のページに係る画像を記録媒体に記録しない指示を受け付けた場合には、当該白紙相当のページに係る画像が記録媒体に記録されないように作成する。これにより、ユーザが希望しない白紙相当のページが画像データの中に含められていた場合において、当該白紙相当のページに係る画像が記録された記録媒体が無駄になることを防ぐことができる。さらには、定型画像が複数のページに係るページ番号を示す画像である場合には、当該白紙相当のページ以降のページについてはページ番号を新たに振り直す必要があるため、当該白紙相当のページ以降のページに係る画像が記録された記録媒体が無駄になることも防ぐことができる。なお、画像データ記憶部１５に記憶された画像データの中に白紙相当のページが複数ある場合には、指示受付部１０９は白紙相当のページ毎にユーザから当該白紙相当のページに係る画像を記録媒体に記録するか否かの指示を受け付ける。そして、記録データ作成部１１０は、その指示に従って印刷データを作成する。
【００３２】
通信制御部１１１は、画像記録装置３との間のデータ通信を制御する。例えば、通信制御部１１１は、記録データ作成部１１０により作成された印刷データを画像記録装置３へ送信する。
【００３３】
（情報処理装置１の動作）
次に、情報処理装置１の動作の一例について図３を参照しつつ説明する。まず、指示受付部１０９が、操作部１７を介して、画像データ記憶部１５に記憶された画像データの印刷指示をユーザから受け付けると（Ａ１）、第１判断部１０１が、画像データ記憶部１５に記憶された画像データが、定型画像に係る定型情報を含む画像データであるか否かを判断する（Ａ２：第１判断処理）。定型情報を含まない画像データであると判断した場合（Ａ２：ＮＯ）には、ステップＡ１０の処理に移る。一方、定型情報を含む画像データであると判断した場合（Ａ２：ＹＥＳ）には、第２判断部１０２が、画像データ記憶部１５に記憶された画像データの中に、定型画像のみである白紙相当のページが含まれるか否かを判断する（Ａ３：第２判断処理）。
【００３４】
第２判断部１０２が、定型画像のみである白紙相当のページを含まないと判断した場合（Ａ３：ＮＯ）には、ステップＡ１０の処理に移る。一方、定型画像のみである白紙相当のページが含まれると判断した場合（Ａ３：ＹＥＳ）には、第２判断部１０２は、画像データ記憶部１５に記憶された画像データにおいて白紙相当のページが２ページ以上連続しているか否かの判断を行う（Ａ４）。２ページ以上連続していると判断した場合（Ａ４：ＹＥＳ）には、出力部１０３により第１及び第２報知制御信号を表示部１８に出力すべく、ステップＡ１１の処理に移る。一方、２ページ以上連続していないと判断した場合（Ａ４：ＮＯ）には、アプリケーション特定部１０４が、画像データ記憶部１５に記憶された画像データに基づいて、当該画像データを作成したアプリケーションの種類を特定する（Ａ５）。そして、決定部１０５は、アプリケーション特定部１０４が特定したアプリケーションの種類によって、出力部１０３による表示部１８への第１報知制御信号の出力を禁止するか否かを決定する（Ａ６）。決定部１０５が、第１報知制御信号の出力を禁止すると決定した場合（Ａ６：ＹＥＳ）には、第１禁止部１０６が、出力部１０３による第１報知制御信号の出力を禁止して（Ａ７）、ステップＡ１０の処理に移る。
【００３５】
一方、決定部１０５が、第１報知制御信号の出力を禁止しないと決定した場合（Ａ６：ＮＯ）には、ページ数判断部１０７が、画像データ記憶部１５に記憶された画像データが所定数以上のページで構成されているか否かを判断する（Ａ８）。ページ数判断部１０７が、画像データが所定数未満のページで構成されていると判断した場合（Ａ８：ＮＯ）には、第２禁止部１０８が、出力部１０３による第１報知制御信号の出力を禁止して（Ａ９）、ステップＡ１０の処理に移る。
【００３６】
ステップＡ１０の処理では、記録データ作成部１１０が、画像データ記憶部１５に記憶された画像データに基づいて、当該画像データの全てのページに係る画像が記録媒体に記録されるように印刷データを作成する。このステップＡ１０の処理が終了すると、ステップＡ１６の処理に移る。
【００３７】
一方、ステップＡ８の処理で、ページ数判断部１０７が、画像データが所定数以上のページで構成されていると判断した場合（Ａ８：ＹＥＳ）には、ステップＡ１１の処理に移る。ステップＡ１１の処理では、出力部１０３が、当該画像データの中に白紙相当のページが含まれていることをユーザに報知する表示画像を表示させるための第１報知制御信号、及び画像データ記憶部１５に記憶された画像データの中に含まれる白紙相当のページに係る画像を記録媒体に記録するか否かを選択させる選択画像を表示させるための選択信号を表示部１８に出力する（出力処理）。これにより、画像データ記憶部１５に記憶された画像データの中に、定型画像のみである白紙相当のページが含まれていることをユーザが把握することができる。また、このとき、出力部１０３は、ステップＡ４の処理において、第２判断部１０２が白紙相当のページが２ページ以上連続していると判断していた場合には、画像データ記憶部１５に記憶された画像データにおいて白紙相当のページが２ページ以上連続していることをユーザに報知する表示画像を表示させるための第２報知制御信号も表示部１８に出力する。
【００３８】
次に、記録データ作成部１１０が、画像データ記憶部１５に記憶された画像データにおける白紙相当のページまでのページの画像を記録媒体に記録させるための印刷データの作成を開始する（Ａ１２）。その後、指示受付部１０９が、白紙相当のページに係る画像を記録媒体に記録する指示をユーザから受け付けた場合（Ａ１３：ＹＥＳ）には、記録データ作成部１１０は、画像データにおける白紙相当のページ以降のページの画像を記録媒体に記録させるための印刷データについては、当該白紙相当のページに係る画像も記録媒体に記録されるように作成して（Ａ１４）、ステップＡ１６の処理に移る。一方、指示受付部１０９が、白紙相当のページに係る画像を記録媒体に記録しない指示をユーザから受け付けた場合（Ａ１３：ＮＯ）には、記録データ作成部１１０は、画像データにおける白紙相当のページ以降のページの画像を記録媒体に記録させるための印刷データについては、当該白紙相当のページに係る画像が記録媒体に記録されないように作成して（Ａ１５）、ステップＡ１６の処理に移る。
【００３９】
ステップＡ１６の処理では、通信制御部１１１が、記録データ作成部１１０により作成された印刷データを、通信インターフェース１６を介して、画像記録装置３に送信する。この後、画像記録装置３の印刷実行部３９により、印刷データに係る画像が記録媒体に記録されることとなる。以上、情報処理装置１の動作について説明した。
【００４０】
以上、本実施形態によると、複数のページから構成される画像に係る画像データの中に、定型画像のみである白紙相当のページが含まれていることをユーザに報知することができる。
【００４１】
変形例として、第１判断部１０１が画像データ記憶部１５に記憶された画像データが、定型画像に係る定型情報を含む画像データではないと判断した場合において、第２判断部１０２が、当該画像データの中に、白紙のページが含まれるか否かを判断する。そして、第２制御部１０２が画像データの中に白紙のページが含まれると判断した場合に、出力部１０３が画像データの中に白紙のページが含まれていることをユーザに報知する表示画像を表示させるための制御信号を表示部１８に出力するように構成されていてもよい。
【００４２】
また、別の変形例として、第２判断部１０２が、画像データ記憶部１５に記憶された画像データ画像データにおいて白紙相当のページが２ページ以上連続していると判断した場合でも、画像データ記憶部１５に記憶された画像データを作成したアプリケーションの種類によって出力部１０３の第１報知制御信号の出力が禁止されてもよい。同様に、第２判断部１０２が、画像データ記憶部１５に記憶された画像データ画像データにおいて白紙相当のページが２ページ以上連続していると判断した場合でも、画像データ記憶部１５に記憶された画像データが所定数未満のときは、出力部１０３の第１報知制御信号の出力が禁止されてもよい。
【００４３】
＜第２実施形態＞
次に、本発明の第２実施形態について説明する。第２実施形態において第１実施形態と異なる点は、第２実施形態では、出力部１０３が上述の第１報知制御信号を表示部１８に出力した場合には、指示受付部１０９によってユーザから白紙相当のページに係る画像を記録媒体に記録するか否かの指示を受け付けた後に印刷データの作成を開始する点である。また、本実施形態においては、情報処理装置１のＣＰＵ１１が、画像記録装置３において同一の記録媒体に複数のページを集約して記録（マルチショット印刷）させるための印刷データを作成する機能を有している。また、第２判断部１０２は、画像データ記憶部１５に記憶された画像データの中に、定型画像のみである白紙相当のページが含まれると判断した場合には、当該画像データにおいて白紙相当のページが２ページ以上連続しているか否かの判断をする代わりに、当該画像データの中に、同一の記録媒体に記録される複数のページの全てが白紙相当のページに該当するものがあるか否かの判断を行う。以下においては、上述した第１実施形態と同一の箇所については同一の符号を付し、その説明を適宜省略する。
【００４４】
指示受付部１０９が、操作部１７を介してユーザから、複数のページを同一の記録媒体に記録するマルチショット印刷をするよう指示を受け付けた際において、同一の記録媒体に記録される複数のページの全てが白紙相当のページであるものが含まれていた場合、当該白紙相当のページはユーザの希望に沿わないページである可能性が高い。そこで、本実施形態においては、第２判断部１０２は、画像データ記憶部１５に記憶された画像データの中に、定型画像のみである白紙相当のページが含まれると判断した場合には、当該画像データの中に、同一の記録媒体に記録される複数のページの全てが白紙相当のページに該当するものがあるか否かの判断も行う。そして、出力部１０３は、画像データ記憶部１５に記憶された画像データの中に、同一の記録媒体に記録される複数のページの全てが白紙相当のページに該当するものがあると判断した場合に、画像データの中に、同一の記録媒体に記録される複数のページの全てが白紙相当のページに該当するものがあることをユーザに報知する表示画像を表示させるための制御信号（以下、第３報知制御信号）も表示部１８に出力する。
【００４５】
記録データ作成部１１０は、出力部１０３が、第１報知制御信号を表示部１８に出力した場合には、指示受付部１０９によってユーザから白紙相当のページに係る画像を記録媒体に記録するか否かの指示を受け付けた後に印刷データを作成する。そして、記録データ作成部１１０は、指示受付部１０９によって、白紙相当のページに係る画像を記録媒体に記録する指示を受け付けた場合には、当該白紙相当のページに係る画像も記録媒体に記録されるように印刷データを作成し、指示受付部１０９によって白紙相当のページに係る画像を記録媒体に記録しない指示を受け付けた場合には、当該白紙相当のページに係る画像が記録媒体に記録されないように印刷データを作成する。これにより、ユーザの意思に関係なく白紙相当のページが画像データの中に含められていた場合において、当該白紙相当のページに係る画像が記録された記録媒体が無駄になることを防ぐことができる。
【００４６】
（情報処理装置１の動作）
次に、本実施形態に係る情報処理装置１の動作の一例について図４を参照しつつ説明する。なお、以下においては、ユーザから受け付けた印刷指示は、同一の記録媒体に複数のページを集約して記録させるマルチショット印刷に関するものであるとして説明をする。
【００４７】
ステップＢ１〜Ｂ３の処理は、上述のステップＡ１〜Ａ３の処理と略同様なので説明を省略する。ステップＢ３の処理において、第２判断部１０２が、画像データ記憶部１５に記憶された画像データの中に、定型画像のみである白紙相当のページが含まれると判断した場合（Ｂ３：ＹＥＳ）には、第２判断部１０２は、当該画像データの中に、同一の記録媒体に記録される複数のページの全てが白紙相当のページに該当するものがあるか否かの判断を行う（Ｂ４）。同一の記録媒体に記録される複数のページの全てが白紙相当のページに該当するものがあると判断した場合（Ｂ４：ＹＥＳ）には、ステップＢ１１の処理に移る、一方、同一の記録媒体に記録される複数のページの全てが白紙相当のページに該当するものがないと判断した場合（Ｂ４：ＮＯ）には、ステップＢ５の処理に移る。
【００４８】
ステップＢ５〜ステップＢ１０の処理は、上述のステップＡ５〜Ａ１０の処理と略同様なので説明を省略する。ステップＢ８の処理において、ページ数判断部１０７が、画像データが所定数以上のページで構成されていると判断した場合（Ｂ８：ＹＥＳ）には、ステップＢ１１の処理が行われる。ステップＢ１１の処理では、出力部１０３が、第１報知制御信号及び選択信号を表示部１８に出力する。また、このとき、出力部１０３は、ステップＢ４の処理において、第２判断部１０２が同一の記録媒体に記録される複数のページの全てが白紙相当のページに該当するものがあると判断していた場合には、画像データ記憶部１５に記憶された画像データの中に、同一の記録媒体に記録される複数のページの全てが白紙相当のページに該当するものがあることをユーザに報知する表示画像を表示させるための第３報知制御信号も表示部１８に出力する。
【００４９】
次に、指示受付部１０９が、白紙相当のページに係る画像を記録媒体に記録する指示をユーザから受け付けた場合（Ｂ１２：ＹＥＳ）には、記録データ作成部１１０は、白紙相当のページに係る画像も記録媒体に記録されるように印刷データを作成して（Ｂ１３）、ステップＢ１５の処理に移る。一方、指示受付部１０９が、白紙相当のページに係る画像を記録媒体に記録しない指示をユーザから受け付けた場合（Ｂ１２：ＮＯ）には、記録データ作成部１１０は、白紙相当のページに係る画像が記録媒体に記録されないように印刷データを作成して（Ｂ１４）、ステップＢ１５の処理に移る。
【００５０】
ステップＢ１６の処理では、通信制御部１１１が、記録データ作成部１１０により作成された印刷データを、通信インターフェース１６を介して、画像記録装置３に送信する。この後、画像記録装置３の印刷実行部３９により、記録データに係る画像が記録媒体に記録されることとなる。以上、情報処理装置１の動作について説明した。
【００５１】
以上、本実施形態においても、複数のページから構成される画像に係る画像データの中に、定型画像のみである白紙相当のページが含まれていることをユーザに報知することができる。
【００５２】
＜第３実施形態＞
次に、本発明の第３実施形態について、図５、及び図６を参照しつつ説明する。第３実施形態において第１実施形態と異なる点は、第１実施形態では情報処理装置１が画像解析装置として機能されていたが、第３実施形態では画像記録装置３を画像解析装置として機能させる点である。以下においては、画像記録装置３の画像解析装置としての機能を中心に説明する。また、上述した第１実施形態と同一の箇所については同一の符号を付し、その説明を適宜省略する。
【００５３】
本実施形態においては、画像記録装置３の不揮発性記憶部３４に、画像記録装置３を画像解析装置として機能させるプログラムが記憶されている。そして、ＣＰＵ３１は、この不揮発性記憶部３４に記憶されたプログラムを実行することで、図５に示すように、第１判断部３０１、第２判断部３０２、出力部３０３、ページ数判断部３０７、第２禁止部３０８、指示受付部３０９、記録データ作成部３１０、通信制御部３１１、及び画像記録制御部３１２として機能する。なお、これらＣＰＵ３１の各機能部は、それぞれ回路によって構成される等、ハードウェアーで実現されるようにしてもよい。本実施形態においては、印刷実行部３９が本発明の記録部に相当する
【００５４】
第１判断部３０１、第２判断部３０２、出力部３０３、ページ数判断部３０７、第２禁止部３０８、指示受付部３０９、記録データ作成部３１０は、解析対象となる画像データが画像記録装置３の画像データ記憶部３６に記憶された印刷データである点以外は、上述の第１判断部１０１、第２判断部１０２、出力部１０３、ページ数判断部１０７、第２禁止部１０８、指示受付部１０９、記録データ作成部１１０と略同様な機能であるので相違点のみ説明する。
【００５５】
出力部３０３は、上述の第１制御信号等の制御信号を表示部３８に対して出力する。これにより、ユーザは表示部３８に表示された表示画像を視認することで、画像データ記憶部３６に記憶された印刷データの中に、定型画像のみである白紙相当のページが含まれていることを把握することができる。変形例として、出力部３０３は、画像データの送信先の情報処理装置１に対して第１制御信号を送信するように構成されていてもよい。この場合、第１制御信号を受信した情報処理装置１の表示部１８において、画像データ記憶部１５に記憶された画像データの中に白紙相当のページが含まれていることをユーザに報知するための表示画像が表示されるようにされていればよい。
【００５６】
指示受付部３０９は、操作部３７を介して、白紙相当のページに係る画像を記録媒体に記録するか否かの指示などの様々な指示をユーザから受け付ける。変形例として、出力部３０３が、画像データの送信先の情報処理装置１に対して第１制御信号を送信する場合には、指示受付部３０９は、白紙相当のページに係る画像を記録媒体に記録するか否かの指示を、情報処理装置１から受け付けるようにされていてもよい。
【００５７】
記録データ作成部３１０は、画像データ記憶部３６に記憶された印刷データに基づいて、印刷実行部３９用の駆動データを作成する。ここで、駆動データについて、印刷実行部３９がインクジェット方式の場合、駆動データはインクジェットヘッドから記録媒体の単位領域毎に吐出するインクの量を表すデータとなり、既知の誤差拡散処理などを用いて、画像データ記憶部３６に記憶された印刷データから作成される。また、印刷実行部３９がいわゆるレーザ方式の場合、既知のディザ処理などを用いて印刷データから駆動データ（レーザ記録部の駆動データ）が作成される。本実施形態においては、駆動データが本発明の記録データに相当する。
【００５８】
通信制御部３１１は、情報処理装置１との間のデータ通信を制御する。例えば、通信制御部３１１は、情報処理装置１から送信された印刷データを受信する。画像記録制御部３１２は、記録データ作成部３１０により作成された駆動データに基づいて、記録媒体に画像が記録されるよう印字実行部３９を制御する。
【００５９】
（画像記録装置３の動作）
次に、本実施形態に係る画像記録装置３の動作の一例について図６を参照しつつ説明する。まず、通信制御部３１１が、情報処理装置１から印刷データを受信すると、当該印刷データを画像データ記憶部３６に記憶する（Ｃ１）。このステップＣ１の処理が終了すると、ステップＣ２の処理に移る。ステップＣ２〜ステップＣ４の処理は、解析対象となる画像データが画像データ記憶部３６に記憶された印刷データである点以外、上述のステップＡ２〜Ａ４の処理と同様なので説明を省略する。なお、ステップＣ４の処理において、第２判断部３０２が、画像データ記憶部３６に記憶された印刷データにおいて白紙相当のページが２ページ以上連続していると判断した場合（Ｃ４：ＹＥＳ）には、ステップＣ８の処理に移る。一方、白紙相当のページが２ページ以上連続していないと判断した場合（Ｃ４：ＮＯ）には、ステップＣ５の処理に移る。このステップＣ５，Ｃ６の処理も、解析対象となる画像データが画像データ記憶部３６に記憶された印刷データである点以外、上述のステップＡ８，Ａ９の処理と同様なので説明を省略する。
【００６０】
ステップＣ２の処理において、第１判断部３０１が画像データ記憶部３６に記憶された印刷データが定型情報を含む画像データではないと判断した場合（Ｃ２：ＮＯ）、ステップＣ３の処理において、第２判断部１０２が画像データ記憶部３６に記憶された印刷データの中に、定型画像のみである白紙相当のページが含まれないと判断した場合（Ｃ３：ＮＯ）、及び、ステップＣ６の処理が終了した場合、ステップＣ７の処理が行われる。
【００６１】
ステップＣ７の処理では、記録データ作成部３１０が、画像データ記憶部３６に記憶された印刷データに基づいて、当該印刷データの全てのページに係る画像が記録媒体に記録されるように印刷実行部３９用の駆動データを作成する。このステップＣ７の処理が終了すると、ステップＣ１３の処理に移る。
【００６２】
また、ステップＣ５の処理において、ページ数判断部３０７が、画像データが所定数以上のページで構成されていると判断した場合（Ｃ５：ＹＥＳ）には、ステップＣ８の処理に移る。ステップＣ８の処理では、出力部３０３が、第１報知制御信号及び選択信号を表示部３８に出力する。また、このとき、出力部３０３は、ステップＣ４の処理において、第２判断部３０２が白紙相当のページが２ページ以上連続していると判断していた場合には、第２報知制御信号も表示部３８に出力する。
【００６３】
次に、記録データ作成部３１０が、画像データ記憶部３６に記憶された印刷データにおける白紙相当のページまでのページの画像を記録媒体に記録させるための駆動データの作成を開始する（Ｃ９）。次に、指示受付部３０９が、白紙相当のページに係る画像を記録媒体に記録する指示をユーザから受け付けた場合（Ｃ１０：ＹＥＳ）には、記録データ作成部３１０は、画像データにおける白紙相当のページ以降のページの画像を記録媒体に記録させるための駆動データについては、当該白紙相当のページに係る画像も記録媒体に記録されるように作成して（Ｃ１１）、ステップＣ１３の処理に移る。一方、指示受付部３０９が、白紙相当のページに係る画像を記録媒体に記録しない指示をユーザから受け付けた場合（Ｃ１０：ＮＯ）には、記録データ作成部３１０は、画像データにおける白紙相当のページ以降のページの画像を記録媒体に記録させるための駆動データについては、当該白紙相当のページに係る画像が記録媒体に記録されないように作成して（Ｃ１２）、ステップＣ１３の処理に移る。
【００６４】
ステップＣ１３の処理では、画像記録制御部３１２は、記録データ作成部３１０により作成された駆動データに基づいて、記録媒体に画像が記録されるよう印字実行部３９を制御する。以上、情報処理装置１の動作について説明した。
【００６５】
以上、本実施形態においても、複数のページから構成される画像に係る画像データの中に、定型画像のみである白紙相当のページが含まれていることをユーザに報知することができる。
【００６６】
以上、本発明の好適な実施の形態について説明したが、本発明は上述の実施の形態に限られるものではなく、特許請求の範囲に記載した限りにおいて様々な変更が可能なものである。従って、本発明の技術思想の範囲内において、上述の実施形態を組み合わせたり、一部の構成を変更したりしてもよい。
【００６７】
例えば、第２判断部１０２（３０２）が、画像データ記憶部１５（３６）に記憶された画像データの中に、定型画像のみである白紙相当のページが含まれると判断した場合には、出力部１０３（３０３）が必ず表示部１８（３７）に対して上述の第１報知制御信号を送信するように構成されていてもよい。
【００６８】
また、上述の実施形態では、定型情報は、画像データ記憶部１５に記憶された画像データの各ページを構成する画像に付加されている定型画像自体を指していたが、画像データ記憶部１５に記憶された画像データの各ページの画像には定型画像が付加されておらず、各ページの画像に対して定型画像を付加させることを示す属性情報等であってもよい。即ち、画像データ記憶部１５に記憶された画像データは、複数のページを構成する画像に加えて、各ページの画像に対して定型画像を付加させることを示す属性情報を含むものであってもよい。この場合、第１判断部１０１は、画像データ記憶部１５に記憶された画像データの属性情報を参照することで、当該画像データが定型画像に係る定型情報を含む画像データであるか否かを判断すればよい。
【００６９】
また、定型画像は、複数のページそれぞれに定型として付加される画像であればよく、例えば、複数のページそれぞれに付加される背景画像等であってもよい。
【００７０】
また、上述の実施形態において、ＣＰＵが単一のＣＰＵにより各処理を実行してもよいし、複数のＣＰＵ、あるいは特定のＡＳＩＣ（application specific integrated circuit）、ＣＰＵと特定のＡＳＩＣの組み合わせにより処理を実行してもよい。
【符号の説明】
【００７１】
１  情報処理装置（画像解析装置）
３  画像記録装置
１１  ＣＰＵ（制御部）
１５  画像データ記憶部（記憶手段）
３６  画像データ記憶部（記憶手段）
１０１  第１判断部（第１判断手段）
１０２  第２判断部（第２判断手段）
１０３  出力部（出力手段）
【図１】
2014071735.tif 000003
【図２】
2014071735.tif 000004
【図３】
2014071735.tif 000005
【図４】
2014071735.tif 000006
【図５】
2014071735.tif 000007
【図６】
2014071735.tif 000008